(57)【要約】【課題】  製造工程内で芳香性などの機能を消滅することがなく、製品に付与した機能を長時間持続でき、製造工程内の設備の劣化を防ぎ、また、製品品質を低下させることのないロール状ペーパー製品の製造方法を提供する。【解決手段】  長尺のロール状ペーパーを切断工程において所定幅のロール状ペーパー製品に切断し、前記切断された個々のロール状ペーパー製品を搬送工程で順次搬送し、前記搬送工程の途中に設置された液体塗布装置によって、前記順次搬送される個々のロール状ペーパー製品のロール内側に機能性液体を塗布する。【選択図】  図２
2005087788.tif 000002
【特許請求の範囲】
【請求項１】
長尺のロール状ペーパーを所定幅のロール状ペーパー製品に切断し、前記切断された個々のロール状ペーパー製品のロール内側に液体塗布装置によって機能性液体を塗布することを特徴とするロール状ペーパー製品の製造方法。
【請求項２】
長尺のロール状ペーパーを切断工程において所定幅のロール状ペーパー製品に切断し、前記切断された個々のロール状ペーパー製品を搬送工程で順次搬送し、前記搬送工程の途中に設置された液体塗布装置によって、前記順次搬送される個々のロール状ペーパー製品のロール内側に機能性液体を塗布することを特徴とするロール状ペーパー製品の製造方法。
【請求項３】
前記液体塗布装置が液体を噴射塗布する塗布ガンを有することを特徴とする請求項１又は２に記載のロール状ペーパー製品の製造方法。
【請求項４】
前記塗布ガンは、搬送中の前記個々のロール状ペーパー製品に、塗布液を略直線軌道を描いて噴射して塗布することを特徴とする請求項３に記載のロール状ペーパー製品の製造方法。
【請求項５】
前記液体塗布装置は、製品搬送コンベアで順次搬送されてくる個々のロール状ペーパー製品を製品検知センサーで検知し、検知信号を制御盤を経て電磁弁に送り、設定されたプログラムに従って該電磁弁を開閉することにより、該電磁弁を介して塗布ガンに連通する機能性液体の容器から機能性液体を塗布ガンに断続的に送り、製品検知センサーで検知した個々のロール状ペーパー製品のロール内側に機能性液体を一定量づつ噴射塗布する動作と、該塗布ガンとロール状ペーパー製品の間に設置された機能性液体の塗布確認センサーにより、機能性液体の噴射の有無を検知し、機能性液体の噴射が行われないことを検知した場合に検知信号を前記制御盤に送って製品搬送コンベアを停止する動作又は／及び警報を発する動作を行う装置であることを特徴とする請求項１〜４のいずれか１項に記載のロール状ペーパー製品の製造方法。
【請求項６】
前記機能性液体は、芳香剤、消臭剤及び抗菌剤から選ばれる少なくとも１種を含有する液体であることを特徴とする請求項１〜５のいずれか１項に記載のロール状ペーパー製品の製造方法。
【発明の詳細な説明】
【技術分野】
【０００１】
本発明は、トイレットペーパー、キッチンタオルなどのロール状ペーパー製品の製造方法に関するものである。さらに詳しくは、本発明は、芳香性、消臭性、抗菌性等の機能を付与したロール状ペーパー製品の製造方法に関するものである。
【背景技術】
【０００２】
従来、台所やトイレ内に芳香や消臭の目的で液体あるいは固体の芳香剤あるいは消臭剤を置く手段が取られていたが、芳香剤や消臭剤を補充する必要があり、手間がかかる作業であった。また、芳香剤や消臭剤の容器は、使用後には再生が難しいゴミとなる問題があった。そこで近年、トイレットペーパーやキッチンタオルに芳香剤あるいは消臭剤を付与することにより、商品に芳香・消臭などの機能を付与したロール状ペーパー製品が提供されている。
【０００３】
このようなロール状ペーパー製品の製造方法の例としては、トイレットペーパーの紙管内面に芳香性を有するマイクロカプセルを塗布する方法（特許文献１）、紙管の内側にパラジクロールベンゼンを塗布する方法（特許文献２）、あるいは紙管に紙を巻き取る工程の前の工程において、紙管の内側に液体状の芳香剤を紙管の両側より噴霧するする方法（特許文献３）等の紙管の内側に機能性の薬品を塗布する方法が提案されている。また、紙管に紙を巻き取る工程の前の工程において、紙管の外側に液体状の芳香剤を塗布する方法（特許文献４）や、紙管に紙を巻き取るために紙管の外側に塗布する糊に芳香剤を配合する方法（特許文献５）等の紙管の外側に機能性の薬品を塗布する方法も知られている。また、ロール状ペーパー製品の巻き終わりの部分（すなわち、製品の使用開始の部分）に糊付けをする工程において、糊に芳香剤を配合する方法もある。さらに、リールパートで巻取り完了後に紙管内面に香料を付着させた後、トイレットペーパー寸法に切断する方法も知られている（特許文献６）。
【特許文献１】実開昭５５−７７４９３号公報
【特許文献２】実開昭５６−１１１６９０号公報
【特許文献３】登録実用新案公報第３００７５２６号
【特許文献４】特開昭６３−２８２４００号公報
【特許文献５】実開平６−８６６８７号公報
【特許文献６】実開平１−１１７２９４号公報
【発明の開示】
【発明が解決しようとする課題】
【０００４】
しかしながら、前記特許文献１、２の場合には、紙管を形成する前の原紙の状態で芳香剤を塗布し、その後紙管に加工するため、芳香剤の塗布後にロール状ペーパー製品の製造工程に導入されるまでに長時間を要することになり、その間に芳香剤の揮散が起こるし、さらに、紙管内面がペーパー巻取り工程でロール製品を支える芯棒（マンドレル）により強い摩擦力を受けることによっても芳香性の揮散が起こる。また、前記特許文献３の場合には、切断前の長尺状の紙管の両側より内部に芳香剤を吹付けるため、芳香剤の塗布量が均一にならず製品の芳香性にバラツキが生じる。
【０００５】
また、前記特許文献４の場合には、紙管の外側に芳香剤を塗布し、その上にトイレットペーパーが巻き取られているため、芳香性が弱く、また製品の使用初期と最後では芳香性の強さに差が生じるし、さらに、紙管に紙を巻き付けるために紙管の外側に塗布する糊に芳香剤が転移し、品種替え時の洗浄作業の作業性も悪くなる。また、前記特許文献５の場合には、紙管に紙を巻き取るために紙管の外側に塗布する糊に芳香剤料を配合するため、芳香剤を付加しない製品に切り替える際の作業性が著しく悪くなるし、芳香剤により糊付けロールなどが劣化する可能性がある。また、特許文献６の方法では、紙管内面全体に均一に芳香剤の塗布を行うことが難しく、芳香性が失われやすいものとなる。
【０００６】
また、ロール状ペーパー製品の巻き終わりの部分に糊付けをする工程において、糊に芳香剤を配合する方法では、製品の使用開始後、直ぐに芳香剤の塗布部分が使用されてしまうため、芳香性を持続させることができなくなり、さらに、芳香剤により糊の変色、乾燥性に影響を及ぼし、糊付けの効果を低下させるという問題点を有する。また、時として、フィルム製の包装袋の内面に施された印刷模様が、製品と接した際に芳香剤の影響で剥がれ落ち、製品のイメージを低下させるという問題点を有している。
【０００７】
本発明は、上記従来の機能性を付与したロール状ペーパー製品の製造方法の有する問題点を克服し、製造工程内で芳香性などの機能を消滅することがなく、製品に付与した機能を長時間持続でき、製造工程内の設備の劣化を防ぎ、また、製品品質を低下させることのないロール状ペーパー製品の製造方法を提供するものである。
【課題を解決するための手段】
【０００８】
上記課題を解決するための本発明は、以下の各発明を包含する。
（１）長尺のロール状ペーパーを所定幅のロール状ペーパー製品に切断し、前記切断された個々のロール状ペーパー製品のロール内側に液体塗布装置によって機能性液体を塗布することを特徴とするロール状ペーパー製品の製造方法。
【０００９】
（２）長尺のロール状ペーパーを切断工程において所定幅のロール状ペーパー製品に切断し、前記切断された個々のロール状ペーパー製品を搬送工程で順次搬送し、前記搬送工程の途中に設置された液体塗布装置によって、前記順次搬送される個々のロール状ペーパー製品のロール内側に機能性液体を塗布することを特徴とするロール状ペーパー製品の製造方法。
【００１０】
（３）前記液体塗布装置が液体を噴射塗布する塗布ガンを有することを特徴とする（１）項又は（２）項に記載のロール状ペーパー製品の製造方法。
【００１１】
（４）前記塗布ガンは、搬送中の前記個々のロール状ペーパー製品に、塗布液を略直線軌道を描いて噴射して塗布することを特徴とする（３）項記載のロール状ペーパー製品の製造方法。
【００１２】
（５）前記液体塗布装置は、製品搬送コンベアで順次搬送されてくる個々のロール状ペーパー製品を製品検知センサーで検知し、検知信号を制御盤を経て電磁弁に送り、設定されたプログラムに従って該電磁弁を開閉することにより、該電磁弁を介して塗布ガンに連通する機能性液体の容器から機能性液体を塗布ガンに断続的に送り、製品検知センサーで検知した個々のロール状ペーパー製品のロール内側に機能性液体を一定量づつ噴射塗布する動作と、該塗布ガンとロール状ペーパー製品の間に設置された機能性液体の塗布確認センサーにより、機能性液体の噴射の有無を検知し、機能性液体の噴射が行われないことを検知した場合に検知信号を前記制御盤に送って製品搬送コンベアを停止する動作又は／及び警報を発する動作を行う装置であることを特徴とする（１）項〜（４）項のいずれか１項に記載のロール状ペーパー製品の製造方法。
【００１３】
（６）前記機能性液体は、芳香剤、消臭剤及び抗菌剤から選ばれる少なくとも１種を含有する液体であることを特徴とする（１）項〜（５）項のいずれか１項に記載のロール状ペーパー製品の製造方法。
【発明の効果】
【００１４】
本発明のロール状ペーパー製品の製造方法によれば、長尺のロール状ペーパーを最終製品寸法のロール状ペーパー製品に切断した後に、切断された個々のロール状ペーパー製品のロールの内側、すなわち、ペーパーを巻き取るための紙管等の内面に機能性薬品を噴射して製造することができるため、液体塗布によって付与した機能が製造工程中に揮散したり消滅したりすることがなく、したがって、従来の製造方法と比較して、少ない薬品の使用量で、個々のロール状ペーパー製品間でバラツキがなく、安定した芳香性などの機能を付与することができる。また、得られる個々のロール状ペーパー製品は、製品の使用形態に関わらず、使用終了まで安定した機能を維持することができる。さらに、製品の包装袋に機能性液体が付着することがないため、包装袋の印刷インキが剥がれ落ちることがなく、製品のイメージを低下させることがない。
【００１５】
また、製造工程上で他の設備に液体が転移することがないため、製造設備のロールやコンベアなどを劣化させることがなく、製品品種を切替える際も塗布ガンによる噴射を止めるだけで切替えを行うことができるため作業性も向上する。さらに、本発明の製造方法は、塗布ガンの方式で機能性液体をオンライン上で塗布することができるため、塗布量の均一な制御が可能であるし、また、塗布状況もセンサーを装備することにより、塗布不良などの異常をモニターすることができるため、品質管理も容易となる。
【発明を実施するための最良の形態】
【００１６】
以下、芳香性を付与したトイレットペーパーの製造方法を例にして、本発明の製造方法を詳細に説明するが、勿論、本発明はこれによって何等限定されるものではない。
【００１７】
図１は、本発明のトイレットペーパーの製造工程のフローを示す模式図である。図１において、紙管製造工程から送られてきた長尺の紙管（図示せず）に、巻き替え工程１でペーパーウェブ２を巻き取り、直径１１４ｍｍ程度で長さ２〜３ｍの長尺のロール状ペーパー３が製造される。得られた長尺のロール状ペーパー３は、調整工程４を経て切断工程５に送られ、所定幅のトイレットペーパー（ロール状ペーパー製品）６に切断され、搬送工程７に送られる。次いで、個々のトイレットペーパー６は、搬送工程７を順次移動中に、搬送工程７の途中に設けられた液体塗布装置８により、ロールの内側、すなわち、紙管の内面に香料を塗布されて芳香性が付与された後、包装工程９に送られて包装され、箱詰め工程１０を経て製品倉庫に送られる。
【００１８】
図２は、図１に示した搬送工程中に設けられた液体塗布装置８を説明する図である。図２において、液体塗布装置８は、製品搬送コンベア１１、製品検知センサー１２、塗布ガン１３、及び塗布確認センサー１４から基本的に構成されている。製品搬送コンベア１１上を矢印Ｘの方向に移動してきたトイレットペーパー６を製品検知センサー１２が検知すると、信号が制御盤１５を経て電磁弁１６に送られ、設定されたプログラムに従って圧縮空気用電磁弁１６を開閉し、該電磁弁１６に高圧ホース１９で連結されている機能性液体容器１７から機能性液体を同じく高圧ホースで電磁弁１６に連結されている塗布ガン１３に断続的に送り、塗布ガン１３からトイレットペーパー６のロール内面に香料が一定量づつ均一に噴射塗布される。この場合、塗布ガン１３の前方に設置された塗布確認センサー１４により、塗布ガン１３から噴射される香料の通過が検知され、トイレットペーパー６に香料が確実に塗布されたことが確認されるようになっており、香料の通過が検知されない場合には信号が制御盤１５に送られ、警報が発せられるか、又は／及び製品搬送コンベア１１が停止される。
【００１９】
本発明において、液体塗布装置８で使用される塗布ガン１３は、ホットメルト塗布等に使用されるグルーガン等を用いることができる。本発明においては、小幅に断裁されたトイレットペーパー等の個々のロールが製品搬送コベア１１上を移動中に塗布液を塗布することが好ましく、そのため塗布ガン１３は、塗布液を銃弾のように略直線軌道を描いて断続的に噴射し、ロール内面への塗布を瞬時に完了させるものであることが好ましい。また、ロール内面への塗布は、１ロールに１回づつ行ってもよく、あるいは、塗布ガンを２個設置して、夫々の塗布ガンから噴射して１ロールに２回づつ行ってもよく、さらに、ロールの移動速度が遅い場合には、１個の塗布ガンから塗布液を複数回噴射して、１ロールに塗布液を複数回塗布することも可能である。また、塗布液の噴射は直線軌道を描いた噴射方法に限定されるものではなく、必要に応じて噴射角を広げた噴射方法とすることもできる。
【００２０】
また、塗布ガンは、製品搬送コンベア１１の移動方向の前方部に設置しても良く、後方部に設置しても良く、あるいは側部に設置しても良い。さらに、製品搬送コンベア１１の上部及び下部のいずれにも設置することが可能であり、また、製品搬送コンベアのいずれかの場所に１個所設置しても良く、あるいは２個所以上の場所に設置しても良い。また、機能性液体の塗布も、ロール状ペーパー製品の搬送方向の前方から塗布しても良く、搬送方向の後方から塗布してもよく、搬送方向の側面から塗布しても良く、特に制限されるものではない。
【００２１】
また、塗布ガン１３のノズルの口径、噴射時間、及び圧縮空気を制御することにより、０．０１ｍｌの単位で塗布量を制御し、３回／秒以上の塗布が可能となるようにすることが好ましい。この場合、ノズルの口径は０．２５〜１ｍｍであることが好ましく、また、１回の噴射時間は３００ｍｓ以下であることが好ましい。ノズルの口径が０．２５ｍｍ未満では、機能性液体の塗布量が少なくなり、製品に十分な機能を付与することできない場合があるし、口径が１ｍｍを越えて大きくなると、機能性液体の塗布量が多くなり、製品の機能が過飽和になって不経済であるばかりでなく、過剰に塗布した機能性成分による弊害が生じる場合があり好ましくない。また、１回の噴射時間が３００ｍｓを越えて長くなると、製品の流れに対応して３回／秒以上の塗布ができなくなり、生産効率が低下する。また、機能性液体を入れるタンク１７は、圧力調整弁１８で圧力調整が可能な容器であり、容易にタンク内の液体を交換できる形態のものが好ましい。
【００２２】
図３及び図４は、本発明の芳香性を付与したトイレットペーパーの製造方法を示す一実施例である。トイレットペーパー６は、間隔を開けて設置した製品搬送コンベア１１上を順次移動し、間隔の開いた部位において、製品搬送コンベア１１の下部に設置した塗布ガン１３によりトイレットペーパー６のロール内側へ香料が噴射塗布される。この場合、トイレットペーパー６は、横にした状態、すなわち、ロールの開口が搬送方向と平行な方向を向いた状態で搬送されても良く（図３参照）、あるいは縦にした状態、すなわち、ロールの開口が上下を向いた状態で搬送されても良く（図４参照）、特に限定されるものではない。また、塗布ガン１３は、製品搬送コンベア１１の上部に設置しても良く、この場合には、製品搬送コンベア１１は連続したものを使用することができる。
【００２３】
図５及び図６は、本発明の芳香性を付与したトイレットペーパーの製造方法を示す他の実施例である。トイレットペーパー６は、２本の狭幅のコンベアからなる製品搬送コンベア１１上を移動し、２本のコンベアの間の部位において、製品搬送コンベア１１の下部に設置した塗布ガン１３によりトイレットペーパー６のロール内側に香料が塗布される。この場合、トイレットペーパー６は、横にした状態、すなわち、ロールの開口が搬送方向と平行な方向を向いた状態で搬送されても良く（図５参照）、あるいは縦にした状態、すなわち、ロールの開口が上下を向いた状態で搬送されても良く（図６参照）、特に限定されるものではない。また、塗布ガン１３は、製品搬送コンベア１１の上部に設置しても良い。
【産業上の利用可能性】
【００２４】
本発明のロール状ペーパー製品の製造方法は、トイレットペーパー等のロール状ペーパー製品に、香料の他に、マイナスイオン発生機能を有するトリマリン、消臭剤、抗菌剤等を塗布することにより、各種の機能を有するロール状ペーパー製品を製造することが可能であり、少ない薬品の塗布量で各種の機能を安定して長時間持続する製品を容易に製造することができる。また、各種の機能を有する薬品は、液体だけでなく、ゲル状あるいは個液混合物の状態のものも使用することができる。
【図面の簡単な説明】
【００２５】
【図１】本発明のトイレットペーパーの製造工程のフローを示す模式図である。
【図２】本発明の液体塗布装置を示す模式図である。
【図３】本発明の一実施例の芳香性を付与したトイレットペーパーの製造方法を示す図である。
【図４】本発明の他の実施例の芳香性を付与したトイレットペーパーの製造方法を示す図である。
【図５】本発明の他の実施例の芳香性を付与したトイレットペーパーの製造方法を示す図である。
【図６】本発明の他の実施例の芳香性を付与したトイレットペーパーの製造方法を示す図である。
【符号の説明】
【００２６】
１：巻き替え工程
２：ペーパーウェブ
３：長尺のロール状ペーパー
４：調整工程
５：切断工程
６：トイレットペーパー（ロール状ペーパー製品）
７：搬送工程
８：液体塗布装置
９：包装工程
１０：箱詰め工程
１１：製品搬送コンベア
１２：製品検知センサー
１３：塗布ガン
１４：塗布確認センサー
１５：制御盤
１６：電磁弁
１７：機能性液体タンク
１８：圧力調整弁
１９：高圧ホース
Ｘ：トイレットペーパーの搬送方向
【図１】
2005087788.tif 000003
【図２】
2005087788.tif 000004
【図３】
2005087788.tif 000005
【図４】
2005087788.tif 000006
【図５】
2005087788.tif 000007
【図６】
2005087788.tif 000008